(57)【要約】  制御チャネル及びデータチャネルのいずれにも使用可能なリソース領域にて制御信号が送信される場合においても、一連のデータ群をSPS（semi-persistent scheduling）によって伝送できる、送信装置及び受信装置を提供する。基地局１００は、端末２００に対するDL grantを、R-PDCCH領域にマッピングして送信し、一連のデータ群をSPS方法によって端末２００へ送信する。送信制御部１０２は、SPS方法の送信予定フレーム間で共通であるリソースブロックグループにおいて、データリソース及びDL grantをマッピングする制御リソース領域を、R-PDCCH領域内に設定する。複数の送信予定フレームの内の１番目の送信予定フレームにて制御リソース領域として設定されたリソース領域は、２番目以降の送信予定フレームではデータリソースとして設定される。
2012132295.tif 000002
【特許請求の範囲】
【請求項１】
受信装置に対する制御信号を、制御チャネル及びデータチャネルのいずれにも使用可能な第１のリソース領域又は制御チャネルに使用可能な第２のリソース領域にマッピングして送信し、一連のデータ群をＮ（Ｎは２以上の自然数）個の送信サブフレームのそれぞれにおけるデータリソースに分配して前記受信装置へ送信する送信装置であって、
前記データリソースのための割り当て制御信号を生成する生成手段と、
Ｍ（Ｍは２以上の自然数）個のリソースブロック（ＲＢ）から構成され且つ送信サブフレーム間で共通であるリソースブロックグループ（ＲＢＧ）において、前記データリソースと前記割り当て制御信号をマッピングする制御リソース領域とを前記第１のリソース領域内に設定する設定手段と、
前記設定されたデータリソースに前記一連のデータ群をマッピングし、前記制御リソース領域に前記割り当て制御信号をマッピングするマッピング手段と、
を具備し、
前記設定手段は、前記Ｎ個の送信サブフレームの内の第１番目の送信サブフレームにおいて前記制御リソース領域として設定したリソース領域を、前記第１番目の送信サブフレーム以外の送信サブフレームにおいては前記データリソースとして設定する、
送信装置。
【請求項２】
前記ＲＢＧにおける前記第２のリソース領域を除く領域は、前記第１番目の送信サブフレームにおいて前記制御リソース領域として設定される第１領域と、前記第１領域を含むＲＢにおける前記第１領域を除く第２領域と、前記第１領域及び第２領域を含むＲＢ以外のＲＢから構成される第３領域とを具備し、
前記設定手段は、前記Ｎ個の送信サブフレームのすべてにおける前記第３領域を前記データリソースとしてさらに設定する、
請求項１に記載の送信装置。
【請求項３】
前記設定手段は、
前記第１番目の送信サブフレームにおいては、前記２領域及び前記第３領域を前記データリソースとして設定し、
前記第１番目の送信サブフレーム以外の送信サブフレームにおいては、前記第１領域、前記第２領域、及び前記第３領域のすべてを前記データリソースとして設定する、
請求項２に記載の送信装置。
【請求項４】
前記設定手段は、
前記第１番目の送信サブフレームにおいては、前記２領域及び前記第３領域を前記データリソースとして設定し、
前記第１番目の送信サブフレーム以外の送信サブフレームにおいては、前記第２領域を除く、前記第１領域及び前記第３領域を前記データリソースとして設定する、
請求項２に記載の送信装置。
【請求項５】
制御チャネル及びデータチャネルのいずれにも使用可能な第１のリソース領域又は制御チャネルに使用可能な第２のリソース領域において送信装置から送信された制御信号を含む受信信号を受信し、Ｎ（Ｎは２以上の自然数）個の送信サブフレームのそれぞれにおけるデータリソースに分配されて前記送信装置から送信された一連のデータ群を受信する受信装置であって、
前記受信信号に含まれる、前記データリソースのための割り当て制御信号を検出する検出手段と、
前記割り当て制御信号が検出されたリソースブロック（ＲＢ）を含むＭ（Ｍは２以上の自然数）個のＲＢから構成され且つ送信サブフレーム間で共通であるリソースブロックグループ（ＲＢＧ）における前記データリソースに対応するデータ成分抽出対象領域内の信号成分を前記受信信号から抽出する抽出手段と、
を具備し、
前記抽出手段は、前記Ｎ個の送信サブフレームの内の第１番目の送信サブフレームにおいて前記割り当て制御信号が検出されたリソース領域を、前記第１番目の送信サブフレーム以外の送信サブフレームにおいてはデータ成分抽出対象領域とする、
受信装置。
【請求項６】
前記ＲＢＧにおける前記第２のリソース領域を除く領域は、前記第１番目の送信サブフレームにおいて前記割り当て制御信号が検出された第１領域と、前記第１領域を含むＲＢにおける前記第１領域を除く第２領域と、前記第１領域及び第２領域を含むＲＢ以外のＲＢから構成される第３領域とを具備し、
前記抽出手段は、前記Ｎ個の送信サブフレームのすべてにおける前記第３領域をさらに前記データ成分抽出対象領域とする、
請求項５に記載の受信装置。
【請求項７】
前記抽出手段は、
前記第１番目の送信サブフレームにおいては、前記２領域及び前記第３領域を前記データ成分抽出対象領域とし、
前記第１番目の送信サブフレーム以外の送信サブフレームにおいては、前記第１領域、前記第２領域、及び前記第３領域のすべてを前記データ成分抽出対象領域とする、
請求項６に記載の受信装置。
【請求項８】
前記抽出手段は、
前記第１番目の送信サブフレームにおいては、前記２領域及び前記第３領域を前記データ成分抽出対象領域とし、
前記第１番目の送信サブフレーム以外の送信サブフレームにおいては、前記第２領域を除く、前記第１領域及び前記第３領域を前記データ成分抽出対象領域とする、
請求項６に記載の受信装置。
【請求項９】
受信装置に対する制御信号を、制御チャネル及びデータチャネルのいずれにも使用可能な第１のリソース領域又は制御チャネルに使用可能な第２のリソース領域にマッピングして送信し、一連のデータ群をＮ（Ｎは２以上の自然数）個の送信サブフレームのそれぞれにおけるデータリソースに分配して前記受信装置へ送信する送信方法であって、
前記データリソースのための割り当て制御信号を生成し、
Ｍ（Ｍは２以上の自然数）個のリソースブロック（ＲＢ）から構成され且つ送信サブフレーム間で共通であるリソースブロックグループ（ＲＢＧ）において、前記データリソースと前記割り当て制御信号をマッピングする制御リソース領域とを前記第１のリソース領域内に設定し、
前記設定されたデータリソースに前記一連のデータ群をマッピングし、前記制御リソース領域に前記割り当て制御信号をマッピングし、
前記Ｎ個の送信サブフレームの内の第１番目の送信サブフレームにおいて前記制御リソース領域として設定されたリソース領域は、前記第１番目の送信サブフレーム以外の送信サブフレームにおいては前記データリソースとして設定される、
送信方法。
【請求項１０】
制御チャネル及びデータチャネルのいずれにも使用可能な第１のリソース領域又は制御チャネルに使用可能な第２のリソース領域において送信装置から送信された制御信号を含む受信信号を受信し、Ｎ（Ｎは２以上の自然数）個の送信サブフレームのそれぞれにおけるデータリソースに分配されて前記送信装置から送信された一連のデータ群を受信する受信方法であって、
前記受信信号に含まれる、前記データリソースのための割り当て制御信号を検出し、
前記割り当て制御信号が検出されたリソースブロック（ＲＢ）を含むＭ（Ｍは２以上の自然数）個のＲＢから構成され且つ送信サブフレーム間で共通であるリソースブロックグループ（ＲＢＧ）における前記データリソースに対応するデータ成分抽出対象領域内の信号成分を前記受信信号から抽出し、
前記Ｎ個の送信サブフレームの内の第１番目の送信サブフレームにおいて前記割り当て制御信号が検出されたリソース領域は、前記第１番目の送信サブフレーム以外の送信サブフレームにおいてはデータ成分抽出対象領域とされる、
受信方法。
【発明の詳細な説明】
【技術分野】
【０００１】
本発明は、送信装置、受信装置、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んに行われている。【０００３】
しかし、高周波の無線帯域を利用する場合には、近距離では高伝送レートの通信が期待できる一方、遠距離になるに従って伝送距離による減衰が大きくなる。よって、高周波の無線帯域を利用した移動体通信システムを実際に運用する場合には、無線通信基地局装置（以下、「基地局」と省略する）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対して、各基地局のカバーエリアを拡大させるために、基地局と無線通信移動局装置（以下、「移動局」と省略する）との間に、無線通信中継局装置（以下、「中継局」と省略する）を設置し、基地局と移動局との間の通信を中継局を介して行う、中継技術が検討されている。中継（Relay）技術を用いると、基地局と直接通信できない移動局も、中継局を介して通信することができる。【０００５】
上記した中継技術の導入が検討されているLTE-A（Long Term Evolution Advanced）システムに対しては、LTE（Long Term Evolution）からのスムーズな移行及びLTEとの共存の観点から、LTEとの互換性を維持することが要求されている。そのため、Relay技術に関しても、LTEとの相互互換性が求められている。【０００６】
図１には、LTEシステムおよびLTE-Aシステムにおいて、制御信号及びデータを割り当てたフレームの一例が示されている。【０００７】
LTEシステムでは、基地局から移動局へ送信される下り回線（DL:DownLink）制御信号は、例えばPDCCH（Physical Downlink Control CHannel）等の下り回線制御チャネルによって送信される。LTEでは、DLのデータ割り当てを指示するDL grant、及び、上り回線（UL:UpLink）のデータ割り当てを指示するUL grantが、PDCCHによって送信される。DL grantによって、このDL grantが送信されたサブフレーム内のリソースが移動局に対して割り当てられたことが通知される。一方、UL grantに関しては、FDDシステムでは、UL grantによって、このUL grantが送信されたサブフレームより４サブフレーム後の対象サブフレーム内のリソースが、移動局に対して割り当てられたことが通知される。また、TDDシステムでは、UL grantによって、このUL grantが送信されたサブフレームより４サブフレーム以上後の対象サブフレーム内のリソースが、移動局に対して割り当てられたことが通知される。TDDシステムでは、移動局に対する割当対象サブフレームとして、UL grantが送信されたサブフレームのいくつ後のサブフレームが割り当てられるかは、上り回線及び下り回線が時分割されるパターン（以下、「UL/DLコンフィグレーションパターン」）に応じて定められる。ただし、どのUL/DLコンフィグレーションパターンにおいても、ULサブフレームは、UL grantが送信されたサブフレームの４サブフレーム以上後のサブフレームである。【０００８】
LTE-Aシステムでは、基地局だけでなく中継局も移動局へサブフレームの先頭部分のPDCCH領域で制御信号を送信する。中継局に着目すると、移動局へ下り回線制御信号を送信しなければならないので、中継局は、制御信号を移動局へ送信した後に受信処理へ切り替えることにより、基地局から送信された信号の受信に備える。しかしながら、中継局が下り回線制御信号を移動局へ送信しているタイミングで基地局も中継局用の下り回線制御信号を送信しているので、中継局は、基地局から送信された下り回線制御信号を受信することができない。このような不都合を回避するために、LTE-Aでは、データ領域に、中継局用の下り回線制御信号を配置する領域（中継局向けR-PDCCH（Relay用PDCCH）領域）を設けることが検討されている。このR-PDCCHにも、PDCCHと同様に、DL grant及びUL grantが配置されることが検討されている。さらに、R-PDCCHでは、図１に示されるように、DL grantを1st slotに配置し、UL grantを2nd slotに配置することが検討されている（非特許文献１参照）。DL grantを1st slotのみに配置することで、DL grantの復号遅延が短くなり、中継局はDLデータに対するＡＣＫ／ＮＡＣＫの送信(FDDでは、DL grantの受信から４サブフレーム後に送信される)に備えることができる。このようにして基地局からR-PDCCHを用いて送信された下り回線制御信号を、中継局は、基地局からhigher layer signalingによって指示されたリソース領域（つまり、「サーチスペース」）内でブラインド復号することにより、自局宛の下り回線制御信号を見つける。【０００９】
ここで、R-PDCCHに対応するサーチスペースは、上述の通り、higher layer signalingによって、基地局から中継局に通知される。R-PDCCHに対応するサーチスペースを通知する方法としては、（１）PRB（Physical Resource Block）ペアを１単位として通知する方法、及び、（２）RBG(Resource Block Group)を１単位として通知する方法の両方が考えられる。PRB（Physical Resource Block）ペアは、第１スロット及び第２スロットのPRBを合わせた集合を意味するのに対して、PRBは、第１スロット及び第２スロットのPRBのそれぞれを意味する。以下では、PRBペアを単にPRBと呼ぶことがある。また、リソースブロックグループ（RBG）とは、複数のPRBが纏めて割り当てられる場合に使用される単位である。また、RBGのサイズは、通信システムのバンド幅に基づいて定められている。【００１０】
また、R-PDCCHは、アグリゲーションレベルとしてレベル１，２，４，８の４つのレベルを有する（例えば、非特許文献１参照）。そして、レベル１，２，４，８は、６，６，２，２種類のマッピング候補位置をそれぞれ有する。ここで、マッピング候補位置とは、制御信号がマッピングされる領域の候補である。１つの端末に対して１つのアグリゲーションレベルが設定されると、そのアグリゲーションレベルが有する複数のマッピング候補位置の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のマッピング候補位置は、VRB(Virtual Resource Block)においては連続的に配置される。そして、VRBにおける各マッピング候補位置は、上位レイヤのシグナリングによって、PRB(Physical Resource Block)にマッピングされる。【００１１】
また、LTEシステムにおける、DLデータ又はULデータの送信に用いられるデータリソースを割り当てる方法として、「動的割り当て方法」と、「半永続割り当て(Semi-Persistent Scheduling : SPS)方法」とがある。動的割り当て方法においては、DL grant又はUL grantによってサブフレームごとにデータリソースが基地局から端末へ通知される。SPS方法においては、第１の制御信号（DL grant又はUL grant）によってデータリソースが基地局から端末へ通知されると、第２の制御信号によってSPSの終了が通知されるまで、一連のデータ群が送信予定サブフレーム群のそれぞれの所定リソースを用いて送信される。SPS方法における送信予定サブフレーム群に含まれる隣接する２つのフレームは、所定のフレーム間隔を有する。また、所定リソースは、送信予定サブフレーム間において共通する。なお、SPS方法における、送信予定サブフレーム群内の任意のサブフレームにおいて、動的割り当て方法によるデータリソースの指示が有ると、その任意のサブフレームにおいては、動的割り当てが優先され、SPS方法によって割り当てられたデータリソースによるデータ送信はスキップされる。また、SPS方法は、小さいパケットが連続的に発生する通信に適している。小さいパケットが連続的に発生する通信とは、例えば、音声通信等である。SPS方法を音声通信等に適用することにより、小さいパケットをマッピングするデータリソースを、制御信号を用いて毎回指示する必要がなくなるので、パケット量に対して制御信号のオーバヘッドが大きくなることを防止することができる。
【先行技術文献】
【非特許文献】
【００１２】
【非特許文献１】3GPP TSG-RAN WG1 Meeting, R1-106478, “Capturing of further agreements on relaying” November 2010
【発明の概要】
【発明が解決しようとする課題】
【００１３】
ところで、今後、Ｍ２Ｍ（Machine to Machine）通信等、様々な機器が無線通信端末として導入されることを考慮すると、端末数の増加によりPDCCHがマッピングされる領域（つまり、「PDCCH領域」）のリソース不足が懸念される。このリソース不足によってPDCCHがマッピングできなくなると、端末に対する下り回線データの割当が行えない。このため、下り回線データがマッピングされるリソース領域（つまり、「PDSCH（Physical Downlink Shared CHannel）領域」）が空いていても使用することができずに、システムスループットが低下してしまう恐れがある。このリソース不足を解消する方法として、基地局配下の端末に向けた制御信号を、前述のR-PDCCHがマッピングされるデータ領域（つまり、「端末向けR-PDCCH領域」）にも配置することが検討されている。このようにデータ領域に制御信号を配置することにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。【００１４】
また、端末向けR-PDCCHに対応するサーチスペースは、基地局から端末へ送信される制御信号がマッピングされる可能性の有るリソース領域である。さらに、R-PDCCHに対応するサーチスペースは、端末個別に設定される。【００１５】
ここで、LTEシステムにおいて基地局と端末との間のSPS方法について規定されているので、LTE-Aシステムに対しても基地局と端末との間のSPS方法が適用される。そのため、基地局から端末へ送信される制御信号が端末向けR-PDCCH領域にマッピングされる場合における、SPS方法を規定する必要があるが、これについては未だ検討されていない。なお、LTE-Aシステムにおいては、基地局と中継局との間のSPS方法はサポートされないことが決まっている。【００１６】
本発明の目的は、制御チャネル及びデータチャネルのいずれにも使用可能なリソース領域において制御信号が送信される場合においても、一連のデータ群をＮ（Ｎは２以上の自然数）個の送信サブフレームのそれぞれにおけるデータリソースに分配して伝送することができる、送信装置、受信装置、送信方法、及び受信方法を提供することである。
【課題を解決するための手段】
【００１７】
本発明の一態様の送信装置は、受信装置に対する制御信号を、制御チャネル及びデータチャネルのいずれにも使用可能な第１のリソース領域又は制御チャネルに使用可能な第２のリソース領域にマッピングして送信し、一連のデータ群をＮ（Ｎは２以上の自然数）個の送信サブフレームのそれぞれにおけるデータリソースに分配して前記受信装置へ送信する送信装置であって、前記データリソースのための割り当て制御信号を生成する生成手段と、Ｍ（Ｍは２以上の自然数）個のリソースブロック（ＲＢ）から構成され且つ送信サブフレーム間で共通であるリソースブロックグループ（ＲＢＧ）において、前記データリソースと前記割り当て制御信号をマッピングする制御リソース領域とを前記第１のリソース領域内に設定する設定手段と、前記設定されたデータリソースに前記一連のデータ群をマッピングし、前記制御リソース領域に前記割り当て制御信号をマッピングするマッピング手段と、を具備し、前記設定手段は、前記Ｎ個の送信サブフレームの内の第１番目の送信サブフレームにおいて前記制御リソース領域として設定したリソース領域を、前記第１番目の送信サブフレーム以外の送信サブフレームにおいては前記データリソースとして設定する。【００１８】
本発明の一態様の受信装置は、制御チャネル及びデータチャネルのいずれにも使用可能な第１のリソース領域又は制御チャネルに使用可能な第２のリソース領域において送信装置から送信された制御信号を受信し、Ｎ（Ｎは２以上の自然数）個の送信サブフレームのそれぞれにおけるデータリソースに分配されて前記送信装置から送信された一連のデータ群を受信する受信装置であって、受信信号に含まれる、前記データリソースのための割り当て制御信号を検出する検出手段と、前記割り当て制御信号が検出されたリソースブロック（ＲＢ）を含むＭ（Ｍは２以上の自然数）個のＲＢから構成され且つ送信サブフレーム間で共通であるリソースブロックグループ（ＲＢＧ）における前記データリソースに対応するデータ成分抽出対象領域内の信号成分を前記受信信号から抽出する抽出手段と、を具備し、前記抽出手段は、前記Ｎ個の送信サブフレームの内の第１番目の送信サブフレームにおいて前記割り当て制御信号が検出されたリソース領域を、前記第１番目の送信サブフレーム以外の送信サブフレームにおいてはデータ成分抽出対象領域とする。【００１９】
本発明の一態様の送信方法は、受信装置に対する制御信号を、制御チャネル及びデータチャネルのいずれにも使用可能な第１のリソース領域又は制御チャネルに使用可能な第２のリソース領域にマッピングして送信し、一連のデータ群をＮ（Ｎは２以上の自然数）個の送信サブフレームのそれぞれにおけるデータリソースに分配して前記受信装置へ送信する送信方法であって、前記データリソースのための割り当て制御信号を生成し、Ｍ（Ｍは２以上の自然数）個のリソースブロック（ＲＢ）から構成され且つ送信サブフレーム間で共通であるリソースブロックグループ（ＲＢＧ）において、前記データリソースと前記割り当て制御信号をマッピングする制御リソース領域とを前記第１のリソース領域内に設定し、前記設定されたデータリソースに前記一連のデータ群をマッピングし、前記制御リソース領域に前記割り当て制御信号をマッピングし、前記Ｎ個の送信サブフレームの内の第１番目の送信サブフレームにおいて前記制御リソース領域として設定されたリソース領域は、前記第１番目の送信サブフレーム以外の送信サブフレームにおいては前記データリソースとして設定される。【００２０】
本発明の一態様の受信方法は、制御チャネル及びデータチャネルのいずれにも使用可能な第１のリソース領域又は制御チャネルに使用可能な第２のリソース領域において送信装置から送信された制御信号を受信し、Ｎ（Ｎは２以上の自然数）個の送信サブフレームのそれぞれにおけるデータリソースに分配されて前記送信装置から送信された一連のデータ群を受信する受信方法であって、前記受信信号に含まれる、前記データリソースのための割り当て制御信号を検出し、前記割り当て制御信号が検出されたリソースブロック（ＲＢ）を含むＭ（Ｍは２以上の自然数）個のＲＢから構成され且つ送信サブフレーム間で共通であるリソースブロックグループ（ＲＢＧ）における前記データリソースに対応するデータ成分抽出対象領域内の信号成分を前記受信信号から抽出し、前記Ｎ個の送信サブフレームの内の第１番目の送信サブフレームにおいて前記割り当て制御信号が検出されたリソース領域は、前記第１番目の送信サブフレーム以外の送信サブフレームにおいてはデータ成分抽出対象領域とされる。
【発明の効果】
【００２１】
本発明によれば、制御チャネル及びデータチャネルのいずれにも使用可能なリソース領域において制御信号が送信される場合においても、一連のデータ群をＮ（Ｎは２以上の自然数）個の送信サブフレームのそれぞれにおけるデータリソースに分配して伝送することができる、送信装置、受信装置、送信方法、及び受信方法を提供することができる。
【図面の簡単な説明】
【００２２】
【図１】LTEシステムおよびLTE-Aシステムにおいて、制御信号及びデータを割り当てたフレームの一例が示す図
【図２】R-PDCCHに対応するサーチスペースの一例を示す図
【図３】中継局に対するデータリソース割り当て方法の説明に供する図
【図４】データ送信方法の一例を示す図
【図５】本発明の実施の形態１に係る基地局の主要構成図
【図６】本発明の実施の形態１に係る端末の主要構成図
【図７】本発明の実施の形態１に係る基地局の構成を示すブロック図
【図８】本発明の実施の形態１に係るマッピングリソースパターンの説明に供する図
【図９】本発明の実施の形態１に係る端末の構成を示すブロック図
【図１０】本発明の実施の形態３に係るマッピングリソースパターンの説明に供する図
【図１１】本発明の実施の形態４に係るマッピングリソースパターンの説明に供する図
【図１２】本発明の実施の形態５に係るマッピングリソースパターンの説明に供する図
【図１３】DL grantによるPDSCHの割り当て方法１の説明に供する図
【図１４】PDSCHの割り当て方法１におけるマッピングリソースパターンの説明に供する図
【図１５】DL grantによるPDSCHの割り当て方法２の説明に供する図
【図１６】PDSCHの割り当て方法２におけるマッピングリソースパターンの説明に供する図
【図１７】PDSCHの割り当て方法２における他のマッピングリソースパターンの説明に供する図
【図１８】DL grantによるPDSCHの割り当て方法３の説明に供する図
【図１９】DL grantによるPDSCHの割り当て方法４の説明に供する図
【図２０】PDSCHの割り当て方法４におけるマッピングリソースパターンの説明に供する図
【図２１】PDSCHの割り当て方法４における他のマッピングリソースパターンの説明に供する図
【図２２】PDSCHの割り当て方法４における他のマッピングリソースパターンの説明に供する図
【図２３】DL grantによるPDSCHの割り当て方法５の説明に供する図
【図２４】PDSCHの割り当て方法５におけるマッピングリソースパターンの説明に供する図
【図２５】DL grantによるPDSCHの割り当て方法６の説明に供する図
【図２６】PDSCHの割り当て方法６におけるマッピングリソースパターンの説明に供する図
【図２７】DL grantによるPDSCHの割り当て方法７の説明に供する図
【図２８】PDSCHの割り当て方法７におけるマッピングリソースパターンの説明に供する図
【図２９】PDSCHの割り当て方法７における他のマッピングリソースパターンの説明に供する図
【発明を実施するための形態】
【００２３】
中継局向けR-PDCCH領域においてDL grantを基地局が送信し、中継局に対してRBG単位のPDSCHを割り当てる場合、任意のサブフレームにおいて、DL grantとPDSCHとが同一のRBGに配置されることがある。すなわち、図３Ａに示すように、任意のサブフレームにおいて任意のRBGの領域（ａ）にDL grantがマッピングされた場合、そのDL grantによってその任意のサブフレームにおける領域（ｂ）及び（ｃ）がPDSCHに割り当てられる。RBGは、M（Mは２以上の自然数）個のPRBペアから構成される。ここで、領域（ａ）は、DL grantが配置される第１のPRB（つまり、「配置PRB」）ペア内の領域であって、PDCCH領域を除く第１スロット内の領域である。また、領域（ｂ）は、配置PRBペア内の第２スロットに属する領域であって、UL grantのサーチスペースに設定されている領域である。また、領域（ｃ）は、配置PRBペアを含むRBGを構成するM個のPRBペアの内、配置PRBペアを除くPRBペア内の領域であって、PDCCH領域を除く領域である。図３Ａに示すようにRBGにPDSCHの割り当てが行われる場合、DL grantには、そのRBGに対するリソース割当ビット値は１とされる。
【００２４】
一方、任意のサブフレームにおいてDL grantとUL grantとが同一のRBGにマッピングされる場合、図３Ｂに示すように、DL grantは、領域（ａ）にマッピングされ、UL grantは、領域（ｂ）にマッピングされる。そして、領域（ｂ）及び（ｃ）は、PDSCHに割り当てられない。このとき、DL grantに含まれるこのRBGに対するリソース割り当てビットの値は、ゼロとされる。従って、下り回線制御信号の受信側である端末は、自機宛のDL grantに含まれるRBGごとのリソース割り当てビットの値が０か１かによって、図３Ａのリソース割り当てが行われているのか図３Ｂのリソース割り当てが行われているかを認知することができる。
【００２５】
従って、端末向けR-PDCCH領域においても、中継局向けR-PDCCH領域と同様に、DL grantを基地局が送信し、端末に対してRBG単位のPDSCHを割り当てる場合、任意のサブフレームにおいて、DL grantとPDSCHとが同一のRBGに配置されることがある。このようにDL grantとPDSCHとが同一のRBGに配置される場合、PDSCHのリソースとして領域（ａ）が除外され、領域（ｂ）及び（ｃ）がPDSCHのリソースとされる。このため、任意のサブフレームにおいてDL grantとPDSCHとが同一のRBGに配置される場合と、任意のサブフレームの任意のRBGにDL grantがマッピングされず且つ領域（ａ）、（ｂ）及び（ｃ）のすべてがPDSCHのリソースとされる場合とでは、PDSCHのためのリソース量が異なることになる。
【００２６】
また、DL grantおよびDLデータを回線品質の高いリソースに割り当てることが望ましい。また、SPS方法では、主にVoIPなど小さいデータを割り当てることが想定されている。小さいデータを送信する場合、DL grantと同一のRBGにデータリソースを配置することにより、使用されるRBGの数を減らすことが望ましい。このため、SPS方法が採用される場合、SPS方法におけるDL grantと当該DL grantによって割り当てられるデータリソースとが同一RBGに配置され易い傾向がある。
【００２７】
以上のことから、DL grantを基地局が送信し、端末に対してRBG単位のPDSCHを割り当てる場合に、SPS方法が採用されると、次のような問題が生じることを、本発明者らは見出した。すなわち、図３に示したPDSCHの割り当て方法をSPS方法に適用する場合、SPS方法による１回目の送信予定サブフレーム（単に、送信サブフレームともいう）に割り当てられたデータリソース（つまり、領域（ｂ）及び（ｃ））を２回目以降の送信予定サブフレームでも使用するデータ送信方法が考えられる（図４参照）。しかしながら、このデータ送信においては、SPS方法による２回目以降の送信予定サブフレームにおいても、領域（ａ）がデータリソースとして用いられないので、無駄に空いているリソースが存在してしまう。
【００２８】
本発明の第１の目的は、この無駄に空いているリソースを少なくすることにある。この目的を達成する実施の形態は、主に、実施の形態１、２及び５である。例えば、実施の形態１においては、SPS方法による２回目以降の送信予定サブフレームにおいては、領域（ａ）がデータリソースとして用いられる。このようなデータ送信方法は、特に、R-PDCCHのアグリゲーションレベルが高い場合に有効である。アグリゲーションレベルが高いほど、配置PRBが多くなるためである。例えば、R-PDCCHのアグリゲーションレベルが４である場合、２回目以降の送信予定サブフレームでは、１回目の送信予定サブフレームにおいてDL grantがマッピングされていた４つのPRBのそれぞれにおける領域（ａ）をPDSCH領域として利用することができる。
【００２９】
一方で、SPS方法による送信予定サブフレームにおけるDLデータの送信対象RBGでも、UL grantを送信する必要性が生じる場合があることを、本発明者らは見出した。すなわち、本発明の第２の目的は、SPS方法による送信予定サブフレームにおけるDLデータの送信対象RBGでも、UL grantの送信を可能とする、SPS方法によるDLデータ送信を実現することである。この目的を達成する実施の形態は、主に、実施の形態３、４及び５である。
【００３０】
以下、本発明の実施の形態について図面を参照して詳細に説明する。なお、実施の形態において、同一の構成要素には同一の符号を付し、その説明は重複するので省略する。
【００３１】
［実施の形態１］
［通信システムの概要］
本発明の実施の形態１に係る通信システムは、送信装置と受信装置とを有する。特に、本発明の実施の形態では、送信装置を基地局１００とし、受信装置を端末２００として説明する。この通信システムは、例えば、LTE-Aシステムである。そして、基地局１００は、例えば、LTE-A基地局であり、端末２００は、例えば、LTE-A端末である。
【００３２】
図５は、本発明の実施の形態１に係る基地局１００の主要構成図である。基地局１００は、端末２００に対する制御信号を、制御チャネル及びデータチャネルのいずれにも使用可能な第１のリソース領域（ここでは、端末向けR-PDCCH）又は制御チャネルに使用可能な第２のリソース領域（ここでは、PDCCH）にマッピングして送信する。さらに、基地局１００は、一連のデータ群をＮ（Ｎは２以上の自然数）個の送信予定サブフレームのそれぞれにおけるデータリソースに分配して端末２００へ送信する。そして、制御信号生成部１０３は、データリソースを割り当てるための割り当て制御信号（ここでは、DL grant）を生成する。そして、送信制御部１０２は、Ｍ（Ｍは２以上の自然数）個のリソースブロック（ここでは、PRBペア）から構成され且つ送信予定サブフレーム間で共通であるリソースブロックグループ（ＲＢＧ）において、データリソース、及び、割り当て制御信号をマッピングする制御リソース領域を第１のリソース領域内に設定する。そして、信号割り当て部１０６は、設定されたデータリソースに一連のデータ群をマッピングし、制御リソース領域に割り当て制御信号をマッピングする。
【００３３】
そして、Ｎ個の送信予定サブフレームの内の第１番目の送信予定サブフレームにおいて制御リソース領域として設定されたリソース領域は、第１番目の送信予定サブフレーム以外の送信予定サブフレームにおいてはデータリソースとして設定される。
【００３４】
図６は、本発明の実施の形態１に係る端末２００の主要構成図である。端末２００は、制御チャネル及びデータチャネルのいずれにも使用可能な第１のリソース領域又は制御チャネルに使用可能な第２のリソース領域において送信装置から送信された制御信号を受信する。さらに、端末２００は、Ｎ（Ｎは２以上の自然数）個の送信予定サブフレームのそれぞれにおけるデータリソースに分配されて基地局１００から送信された一連のデータ群を受信する。そして、制御信号受信部２０５は、受信信号に含まれる、データリソースのための割り当て制御信号を検出する。そして、信号分離部２０２は、制御信号受信部２０５において割り当て制御信号が検出されたリソースブロック（ここでは、PRBペア）を含むＭ（Ｍは２以上の自然数）個のＲＢから構成され且つ送信予定サブフレーム間で共通であるリソースブロックグループ（ＲＢＧ）におけるデータ成分抽出対象領域に対応する、信号成分を受信信号から抽出する。
【００３５】
そして、Ｎ個の送信予定サブフレームの内の第１番目の送信予定サブフレームにおいて割り当て制御信号が検出されたリソース領域は、第２番目以降の送信予定サブフレームにおいてはデータ成分抽出対象領域とされる。
【００３６】
［基地局１００の構成］
図７は、本発明の実施の形態１に係る基地局１００の構成を示すブロック図である。図７において、基地局１００は、割り当て方法決定部１０１と、送信制御部１０２と、制御信号生成部１０３と、誤り訂正符号化部１０４と、変調部１０５と、信号割り当て部１０６と、無線送信部１０７と、無線受信部１０８と、復調部１０９と、誤り訂正復号部１１０とを有する。
【００３７】
割り当て方法決定部１０１は、「送信信号情報」及び端末２００から送信された「報告情報」を入力とする。「送信信号情報」は、送信データ信号の特徴を表す情報であり、例えば、音声通信若しくはデータ通信等の通信種別、又は、送信データ信号のデータサイズ若しくはQoS（Quality of Service）等を含む。また、「報告情報」は、端末２００から送信されたスケジューリング要求又はバッファ状態報告等を含む。
【００３８】
そして、割り当て方法決定部１０１は、送信信号情報及び報告情報に基づいて、リソース割り当ての対象であるデータ信号の送信に適用するリソース割り当て方法を、「動的割り当て方法」及び「SPS方法」から選択する。選択されたリソース割り当て方法の識別情報（以下では、単に「割り当て方法識別情報」と呼ぶ）は、送信制御部１０２へ出力される。
【００３９】
送信制御部１０２は、送信すべきデータ信号が有る場合に、割り当て方法決定部１０１から出力された割り当て方法識別情報を入力とする。そして、送信制御部１０２は、割り当て方法識別情報に応じて、制御信号及びデータ信号の「マッピングリソースパターン」を決定し、決定されたマッピングリソースパターンに関する情報を信号割り当て部１０６へ出力する。
【００４０】
割り当て方法識別情報がSPS方法を示す場合の「マッピングリソースパターン」は、具体的には、次の構成を有する。
（１）マッピングリソースパターン１は、N（Nは２以上の自然数）個の送信予定サブフレームを含む。
（２）マッピングリソースパターン１の１番目の送信予定サブフレームにおいては、上記した領域（ａ）がDL grantのマッピングリソースとされると共に、領域（ｂ）及び（ｃ）がデータリソースとされる。
（３）マッピングリソースパターン１の２番目以降の送信予定サブフレームにおいては、領域（ａ）、（ｂ）及び（ｃ）の全てがデータリソースとされる（図８参照）。図８には、特に、Mが２である場合の送信予定サブフレームが示されている。
【００４１】
また、送信制御部１０２は、割り当て方法識別情報を受け取ると、その割り当て方法識別情報と共に、DL grant生成指示を制御信号生成部１０３へ出力する。また、送信制御部１０２は、入力される「報告情報」に上り回線データ信号のスケジューリング要求が含まれている場合には、UL grantをマッピングするリソースを決定しそのリソースに関する情報を信号割り当て部１０６へ出力すると共に、UL grant生成指示を制御信号生成部１０３へ出力する。
【００４２】
また、送信制御部１０２は、SPS送信終了情報を受け取ると、そのSPS送信終了情報と共に、DL grant生成指示を制御信号生成部１０３へ出力する。
【００４３】
制御信号生成部１０３は、割り当て方法識別情報と共にDL grant生成指示を受け取ると、その割り当て方法識別情報に応じたＲＮＴＩ（Ｒａｄｉｏ Ｎｅｔｗｏｒｋ Ｔｅｍｐｏｒａｒｙ Ｉｄｅｎｔｉｔｙ）でスクランブリングをかけたDL grantを生成し、信号割り当て部１０６へ出力する。
【００４４】
また、制御信号生成部１０３は、UL grant生成指示を受け取ると、UL grantを生成し、信号割り当て部１０６へ出力する。
【００４５】
また、制御信号生成部１０３は、SPS送信終了情報と共にDL grant生成指示を受け取ると、SPS送信終了情報を含めたDL grantを生成する。
【００４６】
誤り訂正符号化部１０４は、送信データ信号を入力とし、入力された送信データ信号を誤り訂正符号化し、変調部１０５へ出力する。
【００４７】
変調部１０５は、誤り訂正符号化部１０４から受け取る信号に対して変調処理を施し、変調後の送信データ信号を信号割り当て部１０６へ出力する。
【００４８】
信号割り当て部１０６は、送信制御部１０２から受け取るマッピングリソースパターンに基づくリソースに、制御信号生成部１０３から受け取るDL grant及び変調部１０５から受け取る変調後の送信データ信号をマッピングする。また、信号割り当て部１０６は、送信制御部１０２から受け取るUL grantのマッピングリソースに関する情報が示すリソースに、制御信号生成部１０３から受け取るUL grantをマッピングする。このように送信データ信号及び制御信号が所定のリソースにマッピングされることにより、送信信号が生成される。この送信信号は、無線送信部１０７へ出力される。
【００４９】
無線送信部１０７は、入力信号に対してアップコンバート等の無線送信処理を施し、アンテナを介して送信する。
【００５０】
無線受信部１０８は、端末２００から送信された信号をアンテナを介して受信し、ダウンコンバート等の無線処理を施した後に復調部１０９へ出力する。
【００５１】
復調部１０９は、入力信号に対して復調処理を施し、得られた信号を誤り訂正復号部１１０へ出力する。
【００５２】
誤り訂正復号部１１０は、入力信号を復号し、端末２００からの報告情報及び受信データ信号を得る。得られた端末２００からの報告情報は、割り当て方法決定部１０１及び送信制御部１０２へ出力される。また、得られた受信データ信号は、後段の機能部へ出力される。
【００５３】
［端末２００の構成］
図９は、本発明の実施の形態１に係る端末２００の構成を示すブロック図である。図９において、端末２００は、無線受信部２０１と、信号分離部２０２と、復調部２０３と、誤り訂正復号部２０４と、制御信号受信部２０５と、誤り訂正符号化部２０６と、変調部２０７と、信号割り当て部２０８と、無線送信部２０９とを有する。
【００５４】
無線受信部２０１は、基地局１００から送信された信号をアンテナを介して受信し、ダウンコンバート等の無線処理を施した後に信号分離部２０２へ出力する。
【００５５】
信号分離部２０２は、無線受信部２０１から受け取る受信信号を制御信号受信部２０５へ出力する。
【００５６】
また、信号分離部２０２は、制御信号受信部２０５から出力されたマッピングリソースパターンに関する情報が示すデータリソースに対応する信号成分（つまり、下り回線データ信号に対応する信号成分）を受信信号から抽出し、抽出された信号を復調部２０３へ出力する。
【００５７】
復調部２０３は、信号分離部２０２から出力された信号を復調し、当該復調された信号を誤り訂正復号部２０４へ出力する。
【００５８】
誤り訂正復号部２０４は、復調部２０３から出力された復調信号を復号し、得られた受信データ信号を出力する。
【００５９】
制御信号受信部２０５は、信号分離部２０２から受け取る受信信号からR-PDCCH領域に対応する信号成分を抽出し、当該抽出された信号成分に対してブラインド復号を行うことにより、自装置宛の制御信号（DL grant又はUL grant）を検出する。上述の通り、DL grantは、ＳＰＳ用または動的割当用のＲＮＴＩでスクランブリングされているので、ＳＰＳ用のＲＮＴＩと動的割当用のＲＮＴＩの両方でスクランブリングを解くことで、割り当て方法識別情報がわかる。
【００６０】
そして、制御信号受信部２０５は、検出されたDL grantに含まれる割り当て方法識別情報がSPS方法を示す場合、SPS方法に対応するマッピングリソースパターンに関する情報を信号分離部２０２へ出力する。このマッピングリソースパターンは、基地局１００において用いられたものと同じである。
【００６１】
また、制御信号受信部２０５は、検出されたUL grantを信号割り当て部２０８へ出力する。
【００６２】
誤り訂正符号化部２０６は、送信データ信号を入力とし、その送信データ信号を誤り訂正符号化し、変調部２０７へ出力する。
【００６３】
変調部２０７は、誤り訂正符号化部２０６から出力された信号を変調し、変調信号を信号割り当て部２０８へ出力する。
【００６４】
信号割り当て部２０８は、変調部２０７から出力された信号を、制御信号受信部２０５から受け取るUL grantに従ってマッピングし、無線送信部２０９へ出力する。
【００６５】
無線送信部２０９は、入力信号に対してアップコンバート等の無線送信処理を施し、アンテナを介して送信する。
【００６６】
［基地局１００及び端末２００の動作］
以上の構成を有する基地局１００及び端末２００の動作について説明する。ここでは、特に、制御信号が端末向けR-PDCCHで送信され且つ割り当て方法としてSPS方法が選択される場合について説明する。
【００６７】
基地局１００において、送信制御部１０２は、SPS方法に対応するマッピングリソースパターン１に関する情報を信号割り当て部１０６へ出力する。
【００６８】
制御信号生成部１０３は、割り当て方法識別情報を含めたDL grantを生成し、信号割り当て部１０６へ出力する。
【００６９】
信号割り当て部１０６は、送信制御部１０２から受け取るマッピングリソースパターン１に基づくリソースに、制御信号生成部１０３から受け取るDL grant及び変調部１０５から受け取る変調後の送信データ信号をマッピングする。このように送信データ信号及び制御信号が所定のリソースにマッピングされることにより、送信信号が生成される。そして、この送信信号は、端末２００へ送信される。
【００７０】
端末２００において、制御信号受信部２０５は、信号分離部２０２から受け取る受信信号からR-PDCCH領域に対応する信号成分を抽出し、当該抽出された信号成分に対してブラインド復号を行うことにより、自装置宛の制御信号（DL grant又はUL grant）を検出する。
【００７１】
そして、制御信号受信部２０５は、SPS方法に対応するマッピングリソースパターン１に関する情報を信号分離部２０２へ出力する。
【００７２】
信号分離部２０２は、制御信号受信部２０５から出力されたマッピングリソースパターン１に関する情報が示すデータリソースに対応する信号成分（つまり、下り回線データ信号に対応する信号成分）を受信信号から抽出し、抽出された信号を復調部２０３へ出力する。
【００７３】
以上のように本実施の形態によれば、基地局１００は、端末２００に対する制御信号を、制御チャネル及びデータチャネルのいずれにも使用可能な第１のリソース領域（ここでは、端末向けR-PDCCH）又は制御チャネルに使用可能な第２のリソース領域（ここでは、PDCCH）にマッピングして送信する。さらに、基地局１００は、一連のデータ群をＮ（Ｎは２以上の自然数）個の送信予定サブフレームのそれぞれにおけるデータリソースに分配して端末２００へ送信する。そして、送信制御部１０２は、Ｍ（Ｍは２以上の自然数）個のリソースブロック（ここでは、PRBペア）から構成され且つ送信予定サブフレーム間で共通であるリソースブロックグループ（ＲＢＧ）において、データリソース、及び、割り当て制御信号（ここでは、DL grant）をマッピングする制御リソース領域を第１のリソース領域内に設定する。
【００７４】
そして、Ｎ個の送信予定サブフレームの内の第１番目の送信予定サブフレームにおいて制御リソース領域として設定されたリソース領域は、第１番目の送信予定サブフレーム以外の送信予定サブフレームにおいてはデータリソースとして設定される。
【００７５】
こうすることにより、第２番目以降の送信予定サブフレームにおいて、第１番目の送信予定サブフレームにおいて制御リソースとして設定されたリソース領域（ここでは、領域（ａ））が空いている状況を防止できる。
【００７６】
特に、実施の形態１においては、上述の通り、第２番目以降の送信予定サブフレームでは、領域（ａ）、（ｂ）及び（ｃ）の全てがデータリソースとされる。
【００７７】
また、本実施の形態によれば、端末２００は、制御チャネル及びデータチャネルのいずれにも使用可能な第１のリソース領域又は制御チャネルに使用可能な第２のリソース領域において送信装置から送信された制御信号を受信する。さらに、端末２００は、Ｎ（Ｎは２以上の自然数）個の送信予定サブフレームのそれぞれにおけるデータリソースに分配されて基地局１００から送信された一連のデータ群を受信する。そして、信号分離部２０２は、制御信号受信部２０５において割り当て制御信号が検出されたリソースブロック（ここでは、PRBペア）を含むＭ（Ｍは２以上の自然数）個のＲＢから構成され且つ送信予定サブフレーム間で共通であるリソースブロックグループ（ＲＢＧ）におけるデータ成分抽出対象領域に対応する、信号成分を受信信号から抽出する。
【００７８】
そして、Ｎ個の送信予定サブフレームの内の第１番目の送信予定サブフレームにおいて割り当て制御信号が検出されたリソース領域は、第２番目以降の送信予定サブフレームにおいてはデータ成分抽出対象領域とされる。
【００７９】
こうすることにより、第２番目以降の送信予定サブフレームにおいて、第１番目の送信予定サブフレームにおいて制御リソースとして設定されたリソース領域（ここでは、領域（ａ））が空いている状況を防止できる。
【００８０】
特に、実施の形態１においては、上述の通り、第２番目以降の送信予定サブフレームでは、領域（ａ）、（ｂ）及び（ｃ）の全てがデータ成分抽出対象領域とされる。
【００８１】
［実施の形態２］
実施の形態２は、SPS方法に対応するマッピングリソースパターンのバリエーションに関する。
【００８２】
実施の形態２におけるマッピングリソースパターン２は、具体的には、次の構成を有する。
（１）マッピングリソースパターン２は、Ｎ（Ｎは２以上の自然数）個の送信予定サブフレームを含む。
（２）マッピングリソースパターン２の１番目の送信予定サブフレームにおいては、上記した領域（ａ）がDL grantのマッピングリソースとされる。但し、領域（ｂ）及び（ｃ）は、データリソースとされない。
（３）マッピングリソースパターン２の２番目以降の送信予定サブフレームにおいては、領域（ａ）、（ｂ）及び（ｃ）の全てがデータリソースとされる。
【００８３】
このようなマッピングリソースパターン２とすることにより、２番目以降の送信予定サブフレームにおいて受信するデータのサイズを等しくすることができる。これにより、基地局１００がリソース量を決定する際に誤り率を考慮に入れやすくなる。
【００８４】
［実施の形態３］
実施の形態３は、上記した第２の目的を達成するための実施の形態である。実施の形態３に係る基地局及び端末は、実施の形態１に係る基地局１００及び端末２００と同様であるので、図７及び９を援用して説明する。
【００８５】
実施の形態３の基地局１００において、送信制御部１０２は、送信すべきデータ信号が有る場合に、割り当て方法決定部１０１から出力された割り当て方法識別情報を入力とする。そして、送信制御部１０２は、割り当て方法識別情報に応じて、制御信号及びデータ信号の「マッピングリソースパターン」を決定し、決定されたマッピングリソースパターンに関する情報を信号割り当て部１０６へ出力する。
【００８６】
割り当て方法識別情報がSPS方法を示す場合の「マッピングリソースパターン」は、具体的には、次の構成を有する。
（１）マッピングリソースパターン３は、Ｎ（Ｎは２以上の自然数）個の送信予定サブフレームを含む。
（２）マッピングリソースパターン３の１番目の送信予定サブフレームにおいては、上記した領域（ａ）がDL grantのマッピングリソースとされると共に、そのDL grantによる割り当て対象である複数のPRBペアの内で配置PRBペアを除くPRBペア内の領域であって、PDCCH領域を除く領域がデータリソースとされる。
（３）マッピングリソースパターン３の２番目以降の送信予定サブフレームにおいては、次の領域がデータリソースとされる。すなわち、１番目の送信予定サブフレームにおいて領域（ａ）にマッピングされたDL grantによる割り当て対象である複数のPRBペアの内でそのDL grantのサーチスペースに設定されたPRBペアを除くPRBペア内の領域であって、PDCCH領域を除く領域である。
【００８７】
図１０は、マッピングリソースパターン３の説明に供する図である。図１０では、特に、DL grantによる割り当て対象であるPRBペアの数が４であり且つその４つのPRBペアが２つのRBGに跨る場合のマッピングリソースパターンが示されている。すなわち、図１０Ａに示すように、マッピングリソースパターン３の１番目の送信予定サブフレームにおいては、領域（ｂ）及び３つの領域（ｃ）がデータリソースとされる。一方、図１０Ｂに示すように、マッピングリソースパターン３の２番目以降の送信予定サブフレームにおいては、DL grantのサーチスペースのアグリゲーションレベルが２である場合、DL grantによる割り当て対象である４つのPRBペアの内でDL grantのサーチスペースでないPRBペア内の領域（ｃ）がデータリソースとされる。
【００８８】
また、実施の形態３の端末２００において、信号分離部２０２は、制御信号受信部２０５から出力されたマッピングリソースパターン３に関する情報が示すデータリソースに対応する信号成分（つまり、下り回線データ信号に対応する信号成分）を受信信号から抽出し、抽出された信号を復調部２０３へ出力する。
【００８９】
このようなマッピングリソースパターン３とすることにより、２番目以降の送信予定サブフレームにおいて、DL grantによる割り当て対象であるPRBペアにUL grantをマッピングすることができる。
【００９０】
なお、１番目の送信予定サブフレームにおいてUL grantをマッピングする必要がある場合には、領域（ｂ）をデータリソースから除外し、領域（ｂ）にUL grantをマッピングしてもよい。
【００９１】
マッピングリソースパターン３は、特に、UL grantのサーチスペースのアグリゲーションレベルが大きい場合に有効である。これは、UL grantのサーチスペースのアグリゲーションレベルが大きい場合、UL grantの割り当てに必要なリソース数が多くなるので、データリソースによってサーチスペースがブロックされてしまうと、UL grantを割り当てられなくなることがあるからである。
【００９２】
［実施の形態４］
実施の形態４は、上記した第２の目的を達成するための実施の形態である。実施の形態４に係る基地局及び端末は、実施の形態１に係る基地局１００及び端末２００と同様であるので、図７及び９を援用して説明する。
【００９３】
実施の形態４の基地局１００において、送信制御部１０２は、送信すべきデータ信号が有る場合に、割り当て方法決定部１０１から出力された割り当て方法識別情報を入力とする。そして、送信制御部１０２は、割り当て方法識別情報に応じて、制御信号及びデータ信号の「マッピングリソースパターン」を決定し、決定されたマッピングリソースパターンに関する情報を信号割り当て部１０６へ出力する。
【００９４】
割り当て方法識別情報がSPS方法を示す場合の「マッピングリソースパターン」は、具体的には、次の構成を有する。
（１）マッピングリソースパターン４は、Ｎ（Ｎは２以上の自然数）個の送信予定サブフレームを含む。
（２）マッピングリソースパターン４の１番目の送信予定サブフレームにおいては、上記した領域（ａ）がDL grantのマッピングリソースとされると共に、領域（ｂ）及び（ｃ）がは、データリソースとされる（図１１Ａ参照）。
（３）マッピングリソースパターン４の２番目以降の送信予定サブフレームにおいては、領域（ｃ）のみがデータリソースとされる（図１１Ｂ参照）。
【００９５】
また、実施の形態４の端末２００において、信号分離部２０２は、制御信号受信部２０５から出力されたマッピングリソースパターン４に関する情報が示すデータリソースに対応する信号成分（つまり、下り回線データ信号に対応する信号成分）を受信信号から抽出し、抽出された信号を復調部２０３へ出力する。
【００９６】
このようなマッピングリソースパターン４とすることにより、２番目以降の送信予定サブフレームにおいて、１番目の送信予定サブフレームでDL grantがマッピングされたPRBペアにUL grantをマッピングすることができる。また、UL grantはDL grantによる割り当て対象であるPRB以外にもマッピングされ得、その場合には、UL grantのアグリゲーションレベルをDL grantのアグリゲーションレベルよりも大きくすることもできる。また、DL grantは回線品質のよいリソースにマッピングされるので、DL grantとUL grantとを同じPRBペアにマッピングすることにより、UL grantも品質のよいリソースにマッピングすることができる。また、SPS方法によって送信されることが多いVoIPではPDSCHのサイズが小さいことが想定されるので、同一RBG内にデータとUL grantと多重できることは効果的である。
【００９７】
［実施の形態５］
実施の形態５は、上記した第１の目的及び第２の目的を達成するための実施の形態である。実施の形態５に係る基地局及び端末は、実施の形態１に係る基地局１００及び端末２００と同様であるので、図７及び９を援用して説明する。
【００９８】
実施の形態５の基地局１００において、送信制御部１０２は、送信すべきデータ信号が有る場合に、割り当て方法決定部１０１から出力された割り当て方法識別情報を入力とする。そして、送信制御部１０２は、割り当て方法識別情報に応じて、制御信号及びデータ信号の「マッピングリソースパターン」を決定し、決定されたマッピングリソースパターンに関する情報を信号割り当て部１０６へ出力する。
【００９９】
割り当て方法識別情報がSPS方法を示す場合の「マッピングリソースパターン」は、具体的には、次の構成を有する。
（１）マッピングリソースパターン５は、Ｎ（Ｎは２以上の自然数）個の送信予定サブフレームを含む。
（２）マッピングリソースパターン５の１番目の送信予定サブフレームにおいては、上記した領域（ａ）がDL grantのマッピングリソースとされると共に、領域（ｂ）及び（ｃ）がは、データリソースとされる（図１２Ａ参照）。
（３）マッピングリソースパターン４の２番目以降の送信予定サブフレームにおいては、領域（ａ）及び（ｃ）がデータリソースとされる（図１２Ｂ参照）。
【０１００】
また、実施の形態５の端末２００において、信号分離部２０２は、制御信号受信部２０５から出力されたマッピングリソースパターン５に関する情報が示すデータリソースに対応する信号成分（つまり、下り回線データ信号に対応する信号成分）を受信信号から抽出し、抽出された信号を復調部２０３へ出力する。
【０１０１】
このようなマッピングリソースパターン５とすることにより、２番目以降の送信予定サブフレームにおいて、１番目の送信予定サブフレームでDL grantがマッピングされたPRBペアにUL grantをマッピングすることができる。また、第２番目以降の送信予定サブフレームにおいて、第１番目の送信予定サブフレームにおいて制御リソースとして設定されたリソース領域（ここでは、領域（ａ））が空いている状況を防止できる。また、DL grantは回線品質のよいリソースにマッピングされるので、DL grantとUL grantとを同じPRBペアにマッピングすることにより、UL grantも品質のよいリソースにマッピングすることができる。
【０１０２】
［他の実施の形態］
［１］実施の形態１乃至５において説明したマッピングリソースパターンを、DL grantのアグリゲーションレベルに応じて切り替えることもできる。
【０１０３】
例えば、送信制御部１０２及び信号分離部２０２は、DL grantのアグリゲーションレベルとRBGサイズとの大小関係に応じてマッピングリソースパターンを切り替えることができる。具体的には、送信制御部１０２及び信号分離部２０２は、DL grantのアグリゲーションレベルがRBGサイズよりも小さいか又は同じ場合、マッピングリソースパターン４又は５を選択する。一方、送信制御部１０２及び信号分離部２０２は、DL grantのアグリゲーションレベルがRBGサイズよりも大きい場合、マッピングリソースパターン３を選択する。
【０１０４】
また、例えば、送信制御部１０２及び信号分離部２０２は、DL grantのアグリゲーションレベルのみに応じてマッピングリソースパターンを切り替えることができる。具体的には、送信制御部１０２及び信号分離部２０２は、DL grantのアグリゲーションレベルが４又は８である場合、マッピングリソースパターン４又は５を選択する。一方、送信制御部１０２及び信号分離部２０２は、DL grantのアグリゲーションレベルが１又は２である場合、マッピングリソースパターン３を選択する。
【０１０５】
［２］実施の形態１乃至５において説明したマッピングリソースパターンを、UL grantが送信されるリソース領域に基づいて切り替えることもできる。具体的には、UL grantがPDCCH領域において送信される場合には、送信制御部１０２及び信号分離部２０２は、マッピングリソースパターン１又は２を選択する。一方、UL grantがR-PDCCH領域において送信される場合には、送信制御部１０２及び信号分離部２０２は、マッピングリソースパターン３、４又は５を選択する。この場合、UL grantがPDCCH領域において送信されるか又はR-PDCCH領域において送信されるかについては、予め定められている。
【０１０６】
［３］上記各実施の形態において、DL grantのR-PDCCHとは、実際にDL grantが端末２００向けに送信されたリソースであってもよいし、DL grantのサーチスペース全体でもよいし、同一スタート位置をもつ異なるアグリゲーションレベルのサーチスペースを含んでもよい。
【０１０７】
［４］上記各実施の形態におけるR-PDCCHは、enhanced PDCCHと呼ばれることもある。
【０１０８】
［５］R-PDCCHには、複数の端末向けのR-PDCCHがインタリービングされて複数の端末向けのR-PDCCHが同一PRBに配置される「インタリーブ有りタイプ」と、単一の端末向けのR-PDCCHのみを同一PRBに配置する「インタリービング無しタイプ」とがある。実施の形態１乃至５において説明したマッピングリソースパターンは、インタリービング無しタイプにのみ適用してもよい。
【０１０９】
［６］上記各実施の形態において、端末２００は、動的割り当てのDL grant及びSPS方式の停止を通知するDL grantについては、全ての送信予定サブフレームにおける領域（ａ）において検出を試みる。動的割り当てのDL grantが検出された送信予定サブフレームにおいては、端末２００は、SPS方式によるデータ送信を行わず、動的割り当て方法によるデータ送信を優先する。一方、SPS方式の停止を通知するDL grantが検出された送信予定サブフレーム以降については、端末２００は、SPS方式によるデータ送信を行わない。
【０１１０】
［７］上記各実施の形態では、DL grantによるPDSCHの割り当て方法として、DL grantがマッピングされたRBG内のDL grantがマッピングされた領域（つまり、領域（ａ））以外の領域にPDSCHが割り当てられる割り当て方法が採用される場合について説明した。しかしながら、本発明はこれに限定されるものではなく、以下に説明する割り当て方法においても適用可能である。
【０１１１】
〈１〉DL grantによるPDSCHの割り当て方法１
図１３は、DL grantによるPDSCHの割り当て方法１の説明に供する図である。図１３Ａに示すように、このＲＢＧに対するリソース割り当てビットが１の場合、DL grantによって領域（ｂ）が明示的にデータリソースとして割り当てられる。ただし、領域（ｃ）は、リソース割り当てビットの値に関わらず、暗示的にデータリソースとして割り当てられる。また、図１３Ｂに示すように、このＲＢＧに対するリソース割り当てビットが０の場合、領域（ｃ）がデータリソースとして割り当てられる。これにより、UL grantが有る場合でも、DL grantをマッピングしたRBGにPDSCHを割り当てることができる。
【０１１２】
このPDSCHの割り当て方法１とマッピングリソースパターン１−５とを組み合わせる場合、マッピングリソースパターンに対して修正を加える必要が生じる場合がある。なお、マッピングパターン２については、マッピングパターン１とは１番目の送信予定サブフレームにおけるデータリソースが異なるだけで、マッピングパターン１と同様に扱うことができる。
【０１１３】
リソース割り当てビットが１の場合、PDSCHの割り当て方法１とマッピングリソースパターン１−５とは、マッピングリソースパターンに対して修正を加えることなく、組み合わせることができる。
【０１１４】
リソース割り当てビットが０の場合、マッピングリソースパターンに対して修正を加える必要が生じる場合がある。具体的には、リソース割り当てビットが０の場合、マッピングリソースパターン１においては、図１４に示すように、領域（ｂ）は２番目以降の送信予定サブフレームにおいてもデータリソースとはされない。具体的には、２番目以降の送信予定サブフレームにおいては、領域（ａ）及び（ｃ）がデータリソースとされる。
【０１１５】
リソース割り当てビットが０の場合でも、マッピングリソースパターン３、４及び５は、リソース割り当てビットが１の場合と同様に扱うことができる。
【０１１６】
〈２〉DL grantによるPDSCHの割り当て方法２
DL grantによるPDSCHの割り当て方法１と異なる点は、領域（ｃ）がデータリソースとされないことである（図１５参照）。
【０１１７】
このPDSCHの割り当て方法２とマッピングリソースパターン１−５とを組み合わせる場合、マッピングリソースパターンに対して修正を加える必要が生じる場合がある。リソース割り当てビットが１の場合でも、マッピングリソースパターンに対して修正を加える必要が生じる場合がある。ただし、PDSCHの割り当て方法２とマッピングリソースパターン４との組み合わせはない。
【０１１８】
具体的には、リソース割り当てビットが１の場合、マッピングリソースパターン１においては、図１６に示すように、２番目以降の送信予定サブフレームでは、領域（ａ）及び（ｂ）がデータリソースとされる一方、領域（ｃ）はデータリソースとされない。なお、マッピングパターン２については、マッピングパターン１とは１番目の送信予定サブフレームにおけるデータリソースが異なるだけで、マッピングパターン１と同様に扱うことができる。
【０１１９】
リソース割り当てビットが１の場合、マッピングリソースパターン３においては、２番目以降の送信予定サブフレームにおける修正の必要がない。
【０１２０】
リソース割り当てビットが１の場合、マッピングリソースパターン５においては、図１７Ａに示すように、１番目の送信予定サブフレームでは領域（ｂ）のみがデータリソースとされる一方、図１７Ｂに示すように、２番目以降の送信予定サブフレームでは領域（ａ）のみがデータリソースとされる。
【０１２１】
〈３〉DL grantによるPDSCHの割り当て方法３
DL grantによるPDSCHの割り当て方法２と異なる点は、リソース割り当てビットが１の場合、領域（ｃ）のみがデータリソースとされることである（図１８参照）。
【０１２２】
リソース割り当てビットが１の場合、DL grantによるPDSCHの割り当て方法１におけるリソース割り当てビットが０の場合と同様に扱うことができる。
【０１２３】
〈４〉DL grantによるPDSCHの割り当て方法４
PDSCHの割り当て方法４では、領域（ｃ）が第１スロットの領域（ｃ−１）と、第２スロットの領域（ｃ−２）とに分けて扱われる。
【０１２４】
図１９は、DL grantによるPDSCHの割り当て方法４の説明に供する図である。図１９Ａに示すように、リソース割り当てビットが１の場合、DL grantによって領域（ｂ）及び（ｃ−２）がデータリソースとして割り当てられる。図１９Ｂに示すように、リソース割り当てビットが０の場合、DL grantによるPDSCHの割り当て方法２の場合と同様の扱いとなる。
【０１２５】
このPDSCHの割り当て方法４とマッピングリソースパターン１−５とを組み合わせる場合、マッピングリソースパターンに対して修正を加える必要が生じる場合がある。リソース割り当てビットが１の場合でも、マッピングリソースパターンに対して修正を加える必要が生じる場合がある。
【０１２６】
具体的には、リソース割り当てビットが１の場合、マッピングリソースパターン１においては、図２０に示すように、領域（ｃ−１）がデータリソースから除外される以外については、実施の形態１で説明したマッピングリソースパターンと同様である。
【０１２７】
リソース割り当てビットが１の場合、マッピングリソースパターン４においては、図２１に示すように、領域（ｃ−１）がデータリソースから除外される以外については、実施の形態４で説明したマッピングリソースパターンと同様である。
【０１２８】
リソース割り当てビットが１の場合、マッピングリソースパターン５においては、図２２に示すように、領域（ｃ−１）がデータリソースから除外される以外については、実施の形態５で説明したマッピングリソースパターンと同様である。
【０１２９】
〈５〉DL grantによるPDSCHの割り当て方法５
PDSCHの割り当て方法５では、図２３に示すように、DL grantが隣接する複数のPRBに跨って配置される。従って、領域（ｂ）は、PRB単位の複数の部分領域に分けて扱われる。そして、UL grantは、その複数の部分領域の一部にマッピングされる。すなわち、PDSCHの割り当て方法５では、DL grantのサーチスペースとUL grantのサーチスペースとが異なっている。
【０１３０】
図２３は、DL grantによるPDSCHの割り当て方法５の説明に供する図である。図２３Ａに示すように、リソース割り当てビットが１の場合、DL grantによってUL grantがマッピングされない領域（ｂ−２）及び（ｃ）がデータリソースとして割り当てられる。また、図２３Ｂに示すように、リソース割り当てビットが０の場合、領域（ａ）、（ｂ）及び（ｃ）のすべてがデータリソースから除外される。
【０１３１】
このPDSCHの割り当て方法５とマッピングリソースパターン１−５とを組み合わせる場合、マッピングリソースパターンに対して修正を加える必要が生じる場合がある。リソース割り当てビットが１の場合でも、マッピングリソースパターンに対して修正を加える必要が生じる場合がある。ただし、PDSCHの割り当て方法５とマッピングリソースパターン４又は５との組み合わせはない。
【０１３２】
具体的には、リソース割り当てビットが１の場合、マッピングリソースパターン１においては、図２４Ａに示すように、１番目の送信予定サブフレームでは領域（ｂ−２）及び（ｃ）がデータリソースとされる。また、この場合、マッピングリソースパターン１においては、図２４Ｂに示すように、２番目以降の送信予定サブフレームでは領域（ｂ−２）及び（ｃ）に加えて領域（ａ）がデータリソースとされる。なお、マッピングリソースパターン２については、マッピングリソースパターン１とは１番目の送信予定サブフレームにおけるデータリソースが異なるだけで、マッピングリソースパターン１と同様に扱うことができる。
【０１３３】
リソース割り当てビットが１の場合、マッピングリソースパターン３においては、２番目以降の送信予定サブフレームにおける修正の必要がない。
【０１３４】
［８］上記各実施の形態においては、DL grantは第１スロットにマッピングされ、UL grantは第２スロットにマッピングされる。すなわち、DL grantがマッピングされるリソースと、UL grantがマッピングされるリソースとは、時間軸で分割されている。しかしながら、本発明はこれに限定されるものではなく、DL grantがマッピングされるリソースと、UL grantがマッピングされるリソースとは、周波数軸（つまり、サブキャリア又はPRBペア）で分割されてもよい。
【０１３５】
〈１〉DL grantによるPDSCHの割り当て方法６
図２５は、PDSCHの割り当て方法６の説明に供する図である。図２５Ａに示すように、配置PRBを構成する複数のサブキャリアが２つのサブキャリアブロックに分割される。そして、その２つのサブキャリアブロックの内の１つが領域（ａ）に対応し、この領域（ａ）にDL grantがマッピングされる。また、その２つのサブキャリアブロックの内のもう１つのサブキャリアブロックが領域（ｂ）に対応し、この領域（ｂ）にUL grantがマッピングされる。
【０１３６】
このPDSCHの割り当て方法６においてリソース割り当てビットが１の場合、図２５Ａに示すように、領域（ｃ）がデータリソースとされる一方、図２５Ｂに示すように、リソース割り当てビットが０の場合、領域（ｃ）がデータリソースとされない。
【０１３７】
このPDSCHの割り当て方法６にマッピングパターン１を適用すると、１番目の送信予定サブフレームでは図２６Ａに示す状態となり、２番目以降の送信予定サブフレームでは図２６Ｂに示す状態となる。
【０１３８】
〈２〉DL grantによるPDSCHの割り当て方法７
図２７は、PDSCHの割り当て方法７の説明に供する図である。図２７Ａに示すように、１つのPRBペア内のPDCCH領域を除く領域（ａ）に、DL grantがマッピングされる。そして、このDL grantによって、他の２つのPRBペア内のPDCCH領域を除く領域（ｂ）及び（ｃ）がデータリソースとして割り当てられる。
【０１３９】
このPDSCHの割り当て方法７においてリソース割り当てビットが１の場合、図２７Ａに示すように、領域（ｂ）及び（ｃ）がデータリソースとされる一方、図２７Ｂに示すように、リソース割り当てビットが０の場合、領域（ｂ）にUL grantがマッピングされる。このとき、領域（ｃ）はデータリソースとされない。
【０１４０】
このPDSCHの割り当て方法７にマッピングパターン１を適用すると、１番目の送信予定サブフレームでは図２８Ａに示す状態となり、２番目以降の送信予定サブフレームでは図２８Ｂに示す状態となる。
【０１４１】
このPDSCHの割り当て方法７にマッピングパターン３を適用すると、１番目の送信予定サブフレームでは図２９Ａに示す状態となり、２番目以降の送信予定サブフレームでは図２９Ｂに示す状態となる。すなわち、２番目以降の送信予定サブフレームでは、UL grantのサーチスペースを除くリソース（図２９Ｂにおける領域（ａ）及び（ｃ））がデータリソースとされる。
【０１４２】
［９］上記各実施の形態では、本発明をハードウェアで構成する場合を例にとって説明したが、本発明はハードウェアとの連携においてソフトウェアでも実現することも可能である。
【０１４３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）または、ＬＳＩ内部の回路セルの接続や設定を再構成可能なリコンフィギュラブル・プロセッサーを利用してもよい。
【０１４５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４６】
２０１１年３月３１日出願の特願２０１１−０７７９４３の日本出願に含まれる明細書、図面および要約書の開示内容は、すべて本願に援用される。
【産業上の利用可能性】
【０１４７】
本発明の送信装置、受信装置、送信方法、及び受信方法は、制御チャネル及びデータチャネルのいずれにも使用可能なリソース領域において制御信号が送信される場合においても、一連のデータ群をＮ（Ｎは２以上の自然数）個の送信予定サブフレームのそれぞれにおけるデータリソースに分配して伝送することができるものとして有用である。
【符号の説明】
【０１４８】
１００  基地局
１０１  割り当て方法決定部
１０２  送信制御部
１０３  制御信号生成部
１０４，２０６  誤り訂正符号化部
１０５，２０７  変調部
１０６，２０８  信号割り当て部
１０７，２０９  無線送信部
１０８，２０１  無線受信部
１０９，２０３  復調部
１１０，２０４  誤り訂正復号部
２００  端末
２０２  信号分離部
２０５  制御信号受信部
【図１】
2012132295.tif 000003
【図２】
2012132295.tif 000004
【図３】
2012132295.tif 000005
【図４】
2012132295.tif 000006
【図５】
2012132295.tif 000007
【図６】
2012132295.tif 000008
【図７】
2012132295.tif 000009
【図８】
2012132295.tif 000010
【図９】
2012132295.tif 000011
【図１０】
2012132295.tif 000012
【図１１】
2012132295.tif 000013
【図１２】
2012132295.tif 000014
【図１３】
2012132295.tif 000015
【図１４】
2012132295.tif 000016
【図１５】
2012132295.tif 000017
【図１６】
2012132295.tif 000018
【図１７】
2012132295.tif 000019
【図１８】
2012132295.tif 000020
【図１９】
2012132295.tif 000021
【図２０】
2012132295.tif 000022
【図２１】
2012132295.tif 000023
【図２２】
2012132295.tif 000024
【図２３】
2012132295.tif 000025
【図２４】
2012132295.tif 000026
【図２５】
2012132295.tif 000027
【図２６】
2012132295.tif 000028
【図２７】
2012132295.tif 000029
【図２８】
2012132295.tif 000030
【図２９】
2012132295.tif 000031
【国際調査報告】
2012132295.tif 000032
2012132295.tif 000033